(57)【要約】      （修正有）【課題】通気性、撥水性に優れ、より良い着心地を呈する手袋を提供する。【解決手段】手袋は、本体１０、少なくとも１つの防水層２０及び撥水領域３０を有する。本体は、多数のファイバにより構成され、手首部１１、掌部１２、親指部分１３及び少なくとも１つの指部１４を有する。手首部分は互いに対向する第１の面１２１及び第２の面を有する。親指部分は互いに対向する第１の円周部１３１及び第２の円周部を有する。少なくとも１つの指部は互いに対向する第１の表面１４１及び第２の表面を有する。少なくとも１つの防水層は第１の面から第１の円周部及び第１の表面に延在している。撥水領域は少なくとも１つの防水層に隣接している。撥水領域に配置された各ファイバは撥水剤で塗布されて撥水層を形成する。撥水領域は通気性であり、従来の手袋の空気透過性を向上させる。【選択図】図１
0003202188.tif 000002
【実用新案登録請求の範囲】
【請求項１】
手袋であって、多数のファイバから構成される本体を備え、前記本体は
前記手袋の前記本体の一部分上に被覆される少なくとも１つの防水層と、
前記本体の他の部分に分布される撥水領域とを有し、
前記撥水領域に配置される各ファイバは撥水剤で塗布されて撥水層を形成することを特徴とする手袋。
【請求項２】
前記本体は
断面円形であり、２つの対向端を有する手首部と、
断面円形であり、前記手首部の前記対向端の一方に接続され、第１の面及び第２の面を有する掌部とを備え、前記第１の面及び前記第２の面とは互いに対向しており、
鞘状である親指部を備え、前記親指部は
前記掌部の前記第１の面が対面する方向に対面する第１の円周部と、
閉成端と、
前記親指部の前記閉成端に対向し、前記掌部に接続される取付け端とを有し、
鞘状である少なくとも１つの指部を備え、前記少なくとも１つの指部は
前記親指部の前記第１の円周部が対面する方向に対面する第１の表面と、
閉成端と、
前記少なくとも１つの指部の前記閉成端に対向し、前記掌部に接続される接合端とを有し、
前記少なくとも１つの防水層は前記掌部の前記第１の面から前記親指部の前記第１の円周部及び前記少なくとも１つの指部の前記第１の表面に延在しており、
前記撥水領域は前記掌部の前記第２の面上に分布されることを特徴とする請求項１記載の手袋。
【請求項３】
前記親指部は前記親指部の前記第１の円周部に対向する第２の円周部を有し、
前記少なくとも１つの指部は前記少なくとも１つの指部の前記第１の表面に対向する第２の表面を有し、
前記少なくとも１つの防水層は前記親指部の前記閉成端から前記親指部の前記第２の円周部及び前記少なくとも１つの指部の前記第２の表面に延在していることを特徴とする請求項２記載の手袋。
【請求項４】
前記防水層は前記親指部の前記閉成端及び前記少なくとも１つの指部の前記閉成端上に被覆され、
前記撥水領域は前記親指部の前記第２の円周部及び前記少なくとも１つの指部の前記第２の表面に延在していることを特徴とする請求項３記載の手袋。
【請求項５】
前記本体は
断面円形であり、２つの対向端を有する手首部と、
断面円形であり、前記手首部の前記対向端の一方に接続され、第１の面及び第２の面を有する掌部とを備え、前記第１の面及び前記第２の面とは互いに対向しており、
鞘状である親指部を備え、前記親指部は
前記掌部の前記第１の面が対面する方向に対面する第１の円周部と、
前記親指部の前記第１の円周部に対向する第２の円周部と、
閉成端と、
前記親指部の前記閉成端に対向し、前記掌部に接続される取付け端とを有し、
鞘状である少なくとも１つの指部を備え、前記少なくとも１つの指部は
前記親指部の前記第１の円周部が対面する方向に対面する第１の表面と、
前記少なくとも１つの指部の前記第１の表面に対向する第２の表面と、
閉成端と、
前記少なくとも１つの指部の前記閉成端に対向し、前記掌部に接続される接合端とを有し、
前記少なくとも１つの防水層は前記掌部の前記第２の面、前記親指部の前記第２の円周部及び前記少なくとも１つの指部の前記第２の表面上に被覆され、前記少なくとも１つの防水層は前記親指部の前記閉成端及び前記少なくとも１つの指部の閉成端から前記親指部の前記第１の円周部及び前記少なくとも１つの指部の第１の表面に延在しており、
前記撥水領域は前記掌部の前記第１の面、前記親指部の前記第１の円周部及び前記少なくとも１つの指部の前記第１の表面上に分布されることを特徴とする請求項１記載の手袋。
【請求項６】
前記少なくとも１つの指部は数量で４つとして実施されることを特徴とする請求項１乃至請求項５何れか１項記載の手袋。
【請求項７】
前記本体は
断面円形であり、２つの対向端を有する手首部と、
断面円形であり、前記手首部の前記対向端の一方に接続され、第１の面及び第２の面を有する掌部とを備え、前記第１の面及び前記第２の面とは互いに対向しており、
鞘状である親指部を備え、前記親指部は
前記掌部の前記第１の面が対面する方向に対面する第１の円周部と、
前記親指部の前記第１の円周部に対向する第２の円周部と、
閉成端と、
前記親指部の前記閉成端に対向し、前記掌部に接続される取付け端とを有し、
４つの指部を備え、各指部は鞘状であり、
前記親指部の前記第１の円周部が対面する方向に対面する第１の表面と、
前記指部の前記第１の表面に対向する第２の表面と、
閉成端と、
前記指部の前記閉成端に対向し、前記掌部に接続される接合端とを有し、
前記少なくとも１つの防水層は数量で５つとして実施され、当該５つの防水層は前記親指部の前記閉成端及び前記４つの指部の前記閉成端上にそれぞれ被覆され、
前記撥水領域は前記掌部の前記第１の面及び前記第２の面、前記親指部の前記第１の円周部及び前記第２の円周部並びに前記各指部の前記第１の表面及び前記第２の表面上に分布されることを特徴とする請求項１記載の手袋。
【請求項８】
前記手首部は前記手首部の２つの対向端の一方に形成され、前記掌部に対向している締付けリングを有することを特徴とする請求項６又は請求項７記載の手袋。
【考案の詳細な説明】
【技術分野】
【０００１】
本考案は、衣服付属品に関し、特に通気性撥水手袋に係わる。
【背景技術】
【０００２】
手袋は手が着用している衣服の一種である。手袋を着用する主目的は、手を保温すること、手の保護をすること又は装飾することにある。異なる目的のために、手袋は、保温手袋、医療用手袋、園芸用手袋、産業用手袋又はバイク・ライダーの手袋のように多くの種類が提供されている（特許文献１）。
【０００３】
手袋を選択するための重要なポイントの１つは、空気透過性である。或る作業状況において、手袋の着用者は、湿潤物体との接触を被る多くの機会に遭っている。従来の手袋一双は、綿で作られており、水分を吸収して湿っぽくなる。水分は、従来の手袋を重くし、着用者の負担を増大させるだけでなく、従来の手袋の換気（除湿）性を低下させる。着用者の体熱は綿ファイバの間の空間からほとんど放散せず、着用者の手に不快感を引き起こす。
【０００４】
図８を参照するに、ゴム製の従来の手袋７０は、従来の手袋の問題を解決するために提供されている。従来の手袋７０は、ゴム製であり、優れた耐水性を有しているので、従来の手袋７０は、一定期間着用者の手を乾燥状態に保つことができる。しかしながら、従来の手袋７０の空気透過性は、綿製の手袋よりはるかに低い。着用して長時間の後、従来の手袋７０の内部温度は上昇し、着用者の手は発汗を開始する。従来の手袋７０の内部は、高温・多湿であり、着用者に耐えられないと感じさせる。
【先行技術文献】
【特許文献】
【０００５】
【特許文献１】ＪＰ ３１９５５４０ Ｕ
【考案の概要】
【考案が解決しようとする課題】
【０００６】
従来の手袋の欠点を克服するために、本考案は、前述の問題を軽減又は除去する手袋を提供せんとするものである。
【０００７】
本考案の主目的は、通気性、撥水性手袋を提供し、着用手袋のより良い着心地を呈することにある。
【課題を解決するための手段】
【０００８】
手袋は、本体、少なくとも１つの防水層及び撥水領域を備えている。本体は、多数のファイバにより構成され、手首部、掌部、親指部分及び少なくとも１つの指部を有する。手首部分は、互いに対向する第１の面及び第２の面を有する。親指部分は、互いに対向する第１の円周部及び第２の円周部を有しています。少なくとも１つの指部は、互いに対向する第１の表面及び第２の表面を有する。少なくとも１つの防水層は、第１の表面から第１の外周及び第１の面に延びている。撥水領域は、少なくとも１つの防水層に隣接している。撥水領域に配置された各ファイバは、撥水剤で塗布され、撥水層を形成している。撥水領域は通気性であり、従来の手袋の空気透過性を向上させる。
【０００９】
本考案の他の目的、利点及び新規な特徴は、以下の詳細な説明から図面と併せて参照すれば一層明らかとなる。
【図面の簡単な説明】
【００１０】
【図１】図１は、本考案にしたがう手袋の第１の実施例の斜視図である。
【図２】図２は、図１における手袋の別の斜視図である。
【図３】図３は、図１における手袋の撥水領域の拡大斜視図である。
【図４】図４は、図３における撥水領域の拡大断面側面図である。
【図５】図５は、本考案にしたがう手袋の第２の実施例の斜視図である。
【図６】図６は、図６は、図５におけるグローブの別の斜視図である。
【図７】図７は、本考案にしたがう手袋の第３の実施例の斜視図である。
【図８】図８は、従来の手袋の斜視図である。
【考案を実施するための形態】
【００１１】
以下、本考案の撥水手袋をその好ましい実施例について図面を参照して詳述する。
【００１２】
図１及び図２を参照するに、本考案にしたがう手袋の第１の実施例は、本体１０、防水層２０及び撥水領域３０を備えている。
【００１３】
図１、図２及び図３を参照するに、本体１０は、多数のファイバ１０１によって編成され、手首部１１、掌部１２、親指部１３と、４つの指部１４を有する。本体１０は、ファイバ１０１によって十文字編成され、換気のための多数の細孔Ｈを有する。ファイバ１０１は、綿、絹又はナイロンであってもよい。
【００１４】
図１及び図２を参照するに、手首部１１は、断面円形である。手首部１１は、２つの対向端及び締付けリング１１１を有する。締付けリング１１１は、弾性であり、手首部１１の両端の一方に配置されている。
【００１５】
図１及び図２を参照するに、掌部１２は、断面円形である。掌部１２は、手首部１１の両端の一方に接続されている。掌部１２及び締付けリング１１１は、手首部１１の２つの対向端の一方にそれぞれ配置されている。掌部１２は第１の面１２１及び第２の面１２２を有する。第１の面１２１及び第２の面１２２は互いに対向している。
【００１６】
図１及び図２を参照するに、親指部１３は、鞘状であり、第１の円周部１３１、第２の円周部１３２、閉成端及び取付け端を有する。第１の円周部１３１は、掌部１２の第１の面１２１が対面する方向に対面している。第１の円周部１３１、第２の円周部１３２は互いに対向している。親指部１３の閉成端及び取付け端は互いに対向している。親指部１３の取付け端は掌部１２に接続される。
【００１７】
図１及び図２を参照するに、各指部１４は、鞘状であり、第１の表面１４１、第２の表面１４２、閉成端及び接合端を有する。第１の表面１４１は、親指部１３の第１の円周部１３１が対面する方向に対面している。第１の表面１４１、第２の表面１４２は互いに対向している。各指部１４の閉成端及び接合端は互いに対向している。各指部１４の接合端は掌部１２に接続される。各指部１４の適切な数又は数量は実際の必要性に応じて調整し実施することができる。
【００１８】
図１及び図２を参照するに、防水層２０は、本体１０上に被覆されており、ラテックス又はゴム製である。防水層２０は、掌部１２の第１の面１２１、親指部１３の第１の円周部１３１及び各指部１４の第１の表面１４１上に被覆されている。防水層２０は、親指部１３の閉成端及び各指部１４の閉成端から親指部１３の第２の円周部１３２及び各指部１４の第２の表面１４２に延在している。防水層２０は、最終的には、親指部１３の閉成端及び各指部１４の閉成端に到達する。
【００１９】
図２、図３及び図４を参照するに、撥水領域３０は、掌部１２の第２の面１２２、親指部１３の第２の外周部１３２、各指部１４の第２の表面１４２上に分布されている。撥水領域３０は防水層２０に隣接している。撥水領域３０に配置されている各ファイバ１０１は撥水剤で塗布されて撥水層３１を形成する。
【００２０】
掌における血管や汗腺は、手の甲におけるものよりもより多く活発である。掌は手袋を着用しているとき撥水領域３０に直面することがある。図１、図２及び図３を参照するに、掌の熱及び汗は、撥水領域３０に配置されたファイバ１０１間の細孔Ｈから放散することができる。従来の手袋と比較するに、撥水領域３０に配置されている各ファイバ１０１は、撥水剤で塗布されて疎水性を有する撥水層３１を形成し、水分を吸収することが防止され、通気性の機能をもたせることができる。本考案にしたがう手袋は、従来の手袋の不十分な空気透過性を解決することができる。着用者の親指と指が濡れた物体に接触する可能性があるので、防水層２０は、親指部１３の閉成端及び各指部１４の閉成端に被覆され、着用者に乾燥して快適な着用経験を提供する。
【００２１】
異なる要求に応じて、防水層２０及び撥水領域３０は、本体１０の異なる部分に適切な数又は数量で配置され実施することができる。
【００２２】
図５及び図６図を参照するに、本考案にしたがう手袋の第２の実施例は、本体１０、防水層２０及び撥水領域３０を備えている。第１の実施例及び第２の実施例の防水層２０及び撥水領域３０の位置は異なっている。防水層２０は、掌部１２の第２の面１２２、親指部１３の第２の円周部１３２及び各指部１４の第２の表面１４２上に被覆されている。防水層２０は、親指部１３の閉成端及び各指部１４の閉成端から親指部１３の第１の円周部１３１及び各指部１４の第１の表面１４１に延在している。防水層２０は、最終的には、親指部１３の閉成端及び各指部１４の閉成端に到達する。撥水領域３０は、防水層２０に隣接し、掌部１２の第１の面１２１、親指部１３の第１の外周部１３１及び各指部１４の第１の表面１４１上に分布されている。
【００２３】
図７を参照するに、本考案にしたがう手袋の第３の実施例は、本体１０、５つの防水層２０及び撥水領域３０を備えている。防水層２０は、親指部１３の閉成端及び４つの指部１４の閉成端にそれぞれ被覆されている。撥水領域３０は、掌部１２の第１の面１２１及び第２の面１２２、親指部１３の第１の円周部１３１及び第２の円周部１３２及び各指部１４の第１の表面１４１及び第２の表面１４２上に分布されている。撥水領域３０は５つの防水層２０に隣接している。
【００２４】
本考案の幾つかの特徴および利点が前述の説明において考案の構造及び機能の詳細とともに記載されているにもかかわらず、その開示は例示のみであり、変更、特に形状、サイズ及び部品の配置の事項は、実用新案登録請求の範囲で表現されている用語の広い一般的な意味によって示される限り考案の原理内で詳細に行なうことができる。
【符号の説明】
【００２５】
１０・・・本体
１１・・・手首部
１２・・・掌部
１３・・・親指部
１４・・・指部
２０・・・防水層
３０・・・撥水領域
３１・・・撥水層
１０１・・・ファイバ
１１１・・・締付けリング
１２１・・・第１の面
１２２・・・第２の面
１３１・・・第１の円周部
１３２・・・第２の円周部
１４１・・・第１の表面
１４２・・・第２の表面
Ｈ・・・細孔
【図１】
0003202188.tif 000003
【図２】
0003202188.tif 000004
【図３】
0003202188.tif 000005
【図４】
0003202188.tif 000006
【図５】
0003202188.tif 000007
【図６】
0003202188.tif 000008
【図７】
0003202188.tif 000009
【図８】
0003202188.tif 000010